(57)【要約】      （修正有）【課題】着衣の襟元開口部が露出しないようにすることにより、乳幼児のよだれやミルク等（要介護療養者にあっては、お茶や食物等）の首部への伝い洩れによって着衣の襟元部分が汚れないようにした胸元エプロンを提供すること。【解決手段】着衣の胸元部分前面を被覆する前カバー片１と、着衣の襟元開口部から内側に挿入される裏当て片２とをそれらの上縁部３で結合してエプロン本体Ａを形成するとともに、エプロン本体Ａの適所に、人体に対する止着手段１１，１３を取りつける。この胸元エプロンを使用する際には、裏当て片２を着衣全体（外側着衣４及び肌着などの内側着衣８）の襟元開口部５から着衣の内側へ挿入し、前カバー片１を外側着衣４の胸元部分前面に位置決めする。【選択図】図１
0003118763.tif 000002
【実用新案登録請求の範囲】
【請求項１】
着衣の胸元部分前面を被覆する前カバー片（１）と着衣の襟元開口部から着衣の内側に挿入される裏当て片（２）とをそれらの上縁部（３）で結合してエプロン本体Ａを形成するとともに該エプロン本体Ａの適所に人体への止着手段（１１，１３）を取りつけたことを特徴とする胸元エプロン。
【請求項２】
前カバー片（１）の下方部分（１Ａ）に、該下方部分（１Ａ）を上方へ向けて折り返した状態で保持することができる折り返し保持具（１３，１３，１５ｃ，１６ｃ）が設けられていることを特徴とする請求項１記載の胸元エプロン。
【考案の詳細な説明】
【技術分野】
【０００１】
本願考案は、着衣の胸元部分の汚れを防止したり、着衣の胸元開口部（襟元部分）がよだれ等の液状物で濡れたりするのを防止するための胸元エプロン（乳幼児用のものは「よだれかけ」と通称されることが多い）に関するものである。
【背景技術】
【０００２】
従来の乳幼児用よだれかけは、最も外側の着衣（以下単に「外側着衣」という）の胸元部分の上に重ね、これを止め紐などにより乳幼児の胸元部分に装着するようになっているが、乳幼児のよだれや食べこぼしものは乳幼児の口から直接よだれかけの上に落下するものだけでなく、乳幼児の口からアゴや首を伝わって胸元まで伝い洩れすることが多い。その場合は、仮によだれかけをしていてもよだれや食べこぼしものの水分が着衣の胸元開口部（襟元部分）を濡らしたり、肌着などの内側着衣を濡らすことになる。
【０００３】
また、従来のよだれかけは、止め紐などをあまりきつく締めたりすると、首回りが窮屈になって乳幼児がイヤがることになり、またこれを緩くすると、図８に示すように、よだれかけＡ′の上縁部２３が垂れ下がって着衣２４の襟元部分がよだれかけの上方から露出してしまい、該着衣の襟元部分や場合によっては、肌着などがよだれやミルク等によって汚されることになる。
【０００４】
また、従来のよだれかけは、単に止め紐を首に巻きつけて装着するようになっているものが多いが、着用者（乳幼児）の指が引掛ったりすると、よだれかけの位置が横方向や後ろにずれてしまうという問題もあった。このほか、乳幼児を横抱き状態で授乳するような場合も、よだれかけが下方に回り落ちてしまう、という問題もある。
【０００５】
なお、本願考案者が調査した範囲では、着衣の外側から内側へ水分が浸透するのを防止するようにした「食事用中エプロン」と題する実用新案（下記特許文献１）がある。これは２重袋状のエプロン本体の中に防水フィルムを入れ、さらに首部をギャザー寄せしたものであるが、このような構造のものでは、上記のように口から首などを伝って伝い洩れしてくるよだれや食べ物からの水分等に対しては防水効果が得られない。
【０００６】
【特許文献１】登録実用新案第３１０３１７３号
【考案の開示】
【考案が解決しようとする課題】
【０００７】
本願考案は、着衣の胸元部分（襟元部分）を着衣の表側と裏側から挟むようにすることにより、乳幼児のよだれやミルク等（要介護療養者にあっては、お茶や食物等）が首部分を伝って伝い洩れしてきても、それによって着衣の襟元部分が汚されることがないようにした胸元エプロンを提供することを目的としてなされたものである。
【課題を解決するための手段】
【０００８】
本願考案の胸元エプロンは、上記の目的を達成するために、図１〜図４に例示するように、着衣の胸元部分前面を被覆する前カバー片１と、着衣の襟元開口部から着衣の内側に挿入される裏当て片２とをそれらの上縁部３で結合してエプロン本体Ａを形成するとともに、エプロン本体Ａの適所に、人体に対する適宜の止着手段１１，１３を取りつけたことを基本構成とする。
【０００９】
そして、本願考案の胸元エプロンを使用するときは、エプロン本体Ａの裏当て片２を着衣の襟元開口部から着衣の内側（たとえば、肌着の内側）に挿入するとともに、前カバー片１を乳幼児等が着用している外側着衣の胸元部分前面に位置決めして、止め紐等の適宜の装着手段１１，１３で胸元エプロン全体を固定する。
【考案の効果】
【００１０】
本願考案の胸元エプロンを使用した場合は、着衣の胸元部分（襟元部分）が前カバー片１と裏当て片２との間に挟み込まれて外部に露出しないから、乳幼児の口からよだれ等が首部を伝って伝い洩れしてきても、従来のよだれかけ使用時のように、着衣の胸元部分（襟元部分）が汚れたり、よだれやミルク、その他食物等によって濡らされることがない。
【００１１】
また、本願考案の胸元エプロンは、前カバー片１と裏当て片２とによって着衣の胸元部分（襟元部分）を挟み込んで装着されるようになっているから、乳幼児等の着用者の指が止め紐１１などに引掛ってもエプロン本体Ａが横方向や後ろ側へずれ動くことがないというメリットがある。
【考案を実施するための最良の形態】
【００１２】
以下、本願考案のいくつかの実施形態を説明すると、図１〜図３には本願考案のもっとも典型的な実施形態が示されている。
【００１３】
図１〜図３において符号Ａは、本願考案の実施例にかかる胸元エプロン（乳幼児用よだれかけ）のエプロン本体であり、同エプロン本体Ａは、乳幼児の着衣（外側着衣）４の胸元部分６の前面を被覆する前カバー片１と、着衣全体（外側着衣４と肌着などの内側着衣８）の襟元開口部５から着衣全体の内側へ挿し込まれる裏当て片２とを両者の上縁部３で縫合して形成されている。このエプロン本体Ａの上端には２本の止め紐１１，１１が縫いつけられており、この止め紐１１，１１を図２に示すように着用者の首の後方で結ぶことによって着用者（乳幼児等）に装着されるようになっている。
【００１４】
この実施例の胸元エプロン（よだれかけ）は、図２に示すように、前カバー片１と裏当て片２とで着衣全体（外側着衣４と肌着などの内側着衣８）の襟元開口部５を挟み込んでいるので、エプロン本体Ａが下方にズリ下がることがなく、乳幼児等の口から落下するよだれやミルク等を着衣の胸元部分や襟元部分を濡らすことなく受け止めることができる。
【００１５】
また、乳幼児の口からよだれやミルク、その他食べ物からの水分等が首部を伝って胸元まで伝い洩れしてきても、着衣の襟元開口部５は、エプロン本体Ａを構成する前カバー片１と裏当て片２の上縁部３で被覆されているから、上記のような伝い洩れ水分は、同上縁部３で吸収されて、外側着衣４や肌着などの内側着衣８が濡らされることがない。
【００１６】
前カバー片１及び裏当て片２は厚手のタオル地を材料とするのが一般的であるが、防水機能のある構成（たとえば、タオル地に薄手の合成樹脂フィルムをラミネートした構成）としてもよい。
【００１７】
図４には本願考案の他の実施例にかかる胸元エプロン（よだれかけ）が示されている。
【００１８】
この実施例の胸元エプロン（よだれかけ）は、前カバー片１と裏当て片２とをそれぞれの上縁部３で結合してエプロン本体Ａを形成するとともに、前カバー片１の下端近くに一対の短い紐１２を介して一対のクリップ１３を取り付けている。この実施例の胸元エプロン（よだれかけ）を使用するときは、図１に示す実施例の場合と同様にして、エプロン本体Ａを着用者（乳幼児）の胸元部分６に位置させるとともに、下方のクリップ１３でエプロン本体Ａの下方部分を着用者の外側着衣の適所に固定する。このようにすると、乳幼児を横抱きにして授乳するような場合にも、エプロン本体Ａが下方へズリ落ちるのを防ぐことができる。また、この実施例の場合は、エプロン本体Ａの下方部分がクリップ１３，１３によって固定されることにより、同エプロン本体Ａ下方部分のズリ上りを防止することができるため、止め紐１１を省略してもエプロン本体Ａの上方部分が着衣の襟元開口部から脱落するのを防止することができ、着用者（乳幼児等）の首回りを緩やかにすることができるメリットがある。
【００１９】
図５は、図４に示す実施例の胸元エプロンのさらに他の使用例を示している。すなわち、この使用例では図４に示されているクリップ１３，１３でもって外側着衣４の一部（たとえば、肩部付近）を保持し、前カバー片１の下側部分１Ａを裏返し状態で上方へ折り返す。そうすると、前カバー片１の下側折り返し部分１Ａの内側にポケット部１４が形成され、そこで着用者の口からこぼれ落ちる食べこぼし物等を受け止めることができる。この実施例におけるクリップ１３，１３は請求項１における「止着手段」として機能するとともに、請求項２における「折り返し保持具」としても機能する。
【００２０】
次に、図６及び図７により、本考案のさらに他の実施例を説明する。この実施例の胸元エプロンは、図１に示す胸元エプロン本体Ａの前カバー片１の下半部に対して左右２組の止着具（１５ｃと１６ｃ）を設けたものである。これらの止着具（１５ｃと１６ｃ）は、前カバー片１の下側部分１Ａを上方に折り返したとき、上下の止着部材（１５Ａ，１５Ｂと１６Ａ，１６Ｂ）が相互に結合して前カバー片１の下側折り返し部分１Ａでもって図５と同様のポケット部１４が形成されるようにするためのものである（これらの止着具１５ｃ，１６ｃが請求項２における折り返し保持具に該当する）。
【００２１】
これらの止着部材（１５Ａ，１５Ｂと１６Ａ，１６Ｂ）は相互に結合又は分離可能なものであればどのような構成のものでもよく、たとえば、止着部材（１５Ａ，１５Ｂと１６Ａ，１６Ｂ）の一方がボタンで他方がボタン受穴であったり、止着部材（１５Ａ，１５Ｂと１６Ａ，１６Ｂ）の両方が面ファスナー（登録商標＝マジックテープ）であったり、あるいはホック（スナップ）であったりしてもよい。また、その場合において、上方位置にある止着部材１５Ａ，１６Ａ間の間隔より下方位置にある止着部材１５Ｂ，１６Ｂ間の間隔がいく分大きくなるようにしておけば、下側折り返し部分１Ａを上方へ折り返して上下の止着部材（１５Ａと１５Ｂ，１６Ａと１６Ｂ）を結合させたときに、ポケット部１４が前方に大きく開口して食べこぼし物などを受け止め易くなる。
【００２２】
なお、上記の各実施例の胸元エプロンは、それぞれ乳幼児用のよだれかけとして説明したが、本願考案の胸元エプロンは、病人や要介護療養者に対しても使用することができるものである。また、実施例の説明中における「止め紐１１」は、他の代替物（たとえば、面ファスナーなど）を使用してもよい。
【図面の簡単な説明】
【００２３】
【図１】本願考案の実施例にかかる胸元エプロンの着用状態説明図である。
【図２】図１における着用状態の側面図で、エプロン本体Ａと着衣全体（外側着衣４と肌着などの内側着衣８）とを断面図示している。
【図３】本願考案の実施例にかかる胸元エプロンの斜視図である。
【図４】本願考案の他の実施例にかかる胸元エプロンの斜視図である。
【図５】図４に示す胸元エプロンの他の使用方法の説明図である。
【図６】本願考案のさらに他の実施例にかかる胸元エプロンの着用状態説明図である。
【図７】図６に示す実施例の胸元エプロンの使用方法説明図である。
【図８】従来のよだれかけの装着状態説明図である。
【符号の説明】
【００２４】
１は前カバー片、２は裏当て片、３は上縁部、４は外側着衣、５は襟元開口部、６は胸元部分、８は肌着などの内側着衣、１１は止め紐などの止着手段、Ａはエプロン本体である。
【図１】
0003118763.tif 000003
【図２】
0003118763.tif 000004
【図３】
0003118763.tif 000005
【図４】
0003118763.tif 000006
【図５】
0003118763.tif 000007
【図６】
0003118763.tif 000008
【図７】
0003118763.tif 000009
【図８】
0003118763.tif 000010